(57)【要約】【課題】デスクイーズ処理を適確に行い得る画像処理装置及びその制御方法を提供する。【解決手段】被写体像に歪曲を生じさせるレンズを用いて取得された画像データに対して歪曲を解消するための復元処理を行う際に用いられる第１の情報を設定するとともに、画像データに含まれる第２の情報を第１の情報よりも優先的に用いて復元処理を行うか否かを設定する設定手段と、第２の情報を第１の情報よりも優先的に用いることが設定手段によって設定されていない場合には、第１の情報を用いて復元処理を行い、第２の情報を第１の情報よりも優先的に用いることが設定手段によって設定されている場合には、第２の情報を用いて復元処理を行う処理手段とを有している。【選択図】図３
2018006985.tif 000002
【特許請求の範囲】
【請求項１】
被写体像に歪曲を生じさせるレンズを用いて取得された画像データに対して前記歪曲を解消するための復元処理を行う際に用いられる第１の情報を設定するとともに、前記画像データに含まれる第２の情報を前記第１の情報よりも優先的に用いて前記復元処理を行うか否かを設定する設定手段と、
前記第２の情報を前記第１の情報よりも優先的に用いることが前記設定手段によって設定されていない場合には、前記第１の情報を用いて前記復元処理を行い、前記第２の情報を前記第１の情報よりも優先的に用いることが前記設定手段によって設定されている場合には、前記第２の情報を用いて前記復元処理を行う処理手段と
を有することを特徴とする画像処理装置。
【請求項２】
前記第２の情報が前記画像データに含まれていない場合には、前記処理手段は、前記第１の情報を用いて前記復元処理を行うことを特徴とする請求項１に記載の画像処理装置。
【請求項３】
前記第２の情報を前記第１の情報よりも優先的に用いることが前記設定手段によって設定されておらず、かつ、前記第１の情報と前記第２の情報とが異なっている場合には、前記処理手段は、警告を発することを特徴とする請求項１又は２に記載の画像処理装置。
【請求項４】
前記第２の情報を前記第１の情報よりも優先的に用いることが前記設定手段によって設定されておらず、かつ、前記第１の情報と前記第２の情報とが異なっている場合には、前記処理手段は、前記第２の情報を用いて前記復元処理を行うか否かをユーザに問い合わせることを特徴とする請求項１乃至３のいずれか１項に記載の画像処理装置。
【請求項５】
前記第２の情報を前記第１の情報よりも優先的に用いることが前記設定手段によって設定されておらず、前記第１の情報と前記第２の情報とが異なっており、かつ、前記復元処理を実行しないことを前記第１の情報が示している場合には、前記処理手段は、前記第２の情報をユーザに通知することを特徴とする請求項１乃至４のいずれか１項に記載の画像処理装置。
【請求項６】
前記レンズは、アナモルフィックレンズであり、
前記第１の情報及び前記第２の情報は、前記アナモルフィックレンズの倍率比を示す情報であることを特徴とする請求項１乃至５のいずれか１項に記載の画像処理装置。
【請求項７】
被写体像に歪曲を生じさせるレンズを用いて取得された画像データに対して前記歪曲を解消するための復元処理を行う際に用いられる第１の情報を設定するとともに、前記画像データに含まれる第２の情報を前記第１の情報よりも優先的に用いて前記復元処理を行うか否かを設定するステップと、
前記第２の情報を前記第１の情報よりも優先的に用いることが設定されていない場合には、前記第１の情報を用いて前記復元処理を行い、前記第２の情報を前記第１の情報よりも優先的に用いることが設定されている場合には、前記第２の情報を用いて前記復元処理を行うステップと
を有することを特徴とする画像処理装置の制御方法。
【請求項８】
コンピュータに、
被写体像に歪曲を生じさせるレンズを用いて取得された画像データに対して前記歪曲を解消するための復元処理を行う際に用いられる第１の情報を設定するとともに、前記画像データに含まれる第２の情報を前記第１の情報よりも優先的に用いて前記復元処理を行うか否かを設定するステップと、
前記第２の情報を前記第１の情報よりも優先的に用いることが設定されていない場合には、前記第１の情報を用いて前記復元処理を行い、前記第２の情報を前記第１の情報よりも優先的に用いることが設定されている場合には、前記第２の情報を用いて前記復元処理を行うステップと
を実行させるためのプログラム。
【発明の詳細な説明】
【技術分野】
【０００１】
本発明は、画像処理装置及びその制御方法に関する。
【背景技術】
【０００２】
近時、映画制作等の分野において、アナモルフィックレンズと称されるレンズを用いて撮影することが注目されている。アナモルフィックレンズは、例えば、縦のサイズに対して横のサイズが圧縮されるように、被写体像に歪曲を生じさせ得るレンズである。撮影時には、アナモルフィックレンズによって画面が横方向に圧縮された画像が記録され、再生時には、画面を横方向に伸張することによって原画像を復元する処理、即ち、デスクイーズ（Ｄｅｓｑｕｅｅｚｅ）処理が実行される。従って、アナモルフィックレンズを用いれば、縦横比の大きい撮像素子を用いることなく、縦横比の大きい画像を取得することが可能である。アナモルフィックレンズは、例えば、映画用のフォーマットである縦横比２．３９：１のシネマスコープ映像を得るために好適に用い得る。なお、デスクイーズ処理は、デアナモフィック処理とも称される。
【０００３】
特許文献１には、撮影時には、アナモルフィックレンズの属性情報を記憶手段に記録し、再生時には、圧縮された画像を当該属性情報に基づいて原画像に復元する電子カメラシステムが開示されている。
【先行技術文献】
【特許文献】
【０００４】
【特許文献１】特開平４−３２３７５号公報
【発明の概要】
【発明が解決しようとする課題】
【０００５】
しかしながら、従来は、デスクイーズ処理を必ずしも適確に行い得ない場合があった。
本発明の目的は、デスクイーズ処理を適確に行い得る画像処理装置及びその制御方法を提供することにある。
【課題を解決するための手段】
【０００６】
実施形態の一観点によれば、被写体像に歪曲を生じさせるレンズを用いて取得された画像データに対して前記歪曲を解消するための復元処理を行う際に用いられる第１の情報を設定するとともに、前記画像データに含まれる第２の情報を前記第１の情報よりも優先的に用いて前記復元処理を行うか否かを設定する設定手段と、前記第２の情報を前記第１の情報よりも優先的に用いることが前記設定手段によって設定されていない場合には、前記第１の情報を用いて前記復元処理を行い、前記第２の情報を前記第１の情報よりも優先的に用いることが前記設定手段によって設定されている場合には、前記第２の情報を用いて前記復元処理を行う処理手段とを有することを特徴とする画像処理装置が提供される。
【発明の効果】
【０００７】
本発明によれば、デスクイーズ処理を適確に行い得る画像処理装置及びその制御方法を提供することができる。
【図面の簡単な説明】
【０００８】
【図１】一実施形態による画像処理装置を示すブロック図である。
【図２】一実施形態による画像処理装置の表示画面を示す図である。
【図３】一実施形態による画像処理装置の動作を示すフローチャートである。
【図４】一実施形態の変形例（その１）による画像処理装置の動作を示すフローチャートである。
【図５】一実施形態の変形例（その２）による画像処理装置の動作を示すフローチャートである。
【図６】一実施形態の変形例（その３）による画像処理装置の動作を示すフローチャートである。
【発明を実施するための形態】
【０００９】
本発明の実施の形態について図面を用いて以下に詳細に説明する。なお、本発明は以下の実施形態に限定されるものではなく、その要旨を逸脱しない範囲において適宜変更可能である。同一の構成要素には同一の符号を付し、説明を省略または簡潔にする。
【００１０】
［一実施形態］
本発明の一実施形態による画像処理装置及びその制御方法について図面を用いて説明する。ここでは、所定のアプリケーションプログラムがインストールされたパーソナルコンピュータ（Ｐｅｒｓｏｎａｌ  Ｃｏｍｐｕｔｅｒ：ＰＣ）１００によって本実施形態による画像処理装置を構成する場合を例に説明するが、これに限定されるものではない。
【００１１】
図１は、本実施形態による画像処理装置１００を示すブロック図である。画像処理装置１００には、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３とが備えられている。ＲＯＭ１０２には、ＣＰＵ１０１によって実行される制御プログラム等が記憶されている。ＲＡＭ１０３は、ワークメモリとして機能し得るものであり、制御プログラムやデータ等を一時的に格納する。画像処理装置１００には、ＨＤＤ（Ｈａｒｄ  Ｄｉｓｋ  Ｄｒｉｖｅ）１０４が更に備えられている。ＨＤＤ１０４には、所定のアプリケーションプログラム、オペレーティングシステム（Ｏｐｅｒａｔｉｎｇ  Ｓｙｓｔｅｍ：ＯＳ）等の各種プログラムや、データ等が格納されている。画像処理装置１００には、外部ＩＦ１０５が更に備えられている。外部ＩＦ１０５は、記憶媒体１１１を画像処理装置１００に接続するためのものである。かかる記憶媒体１１１としては、例えば、フラッシュメモリカード１５０や外付けハードディスク１６０等が挙げられる。画像処理装置１００には、ユーザＩＦ１０６が更に備えられている。ユーザＩＦ１０６は、入力デバイス１１２を画像処理装置１００に接続するためのものである。かかる入力デバイス１１２としては、例えば、マウス１１３やキーボード１１４等が挙げられる。画像処理装置１００には、ＶＲＡＭ（Ｖｉｄｅｏ  ＲＡＭ）１０７と、画像処理部１０８と、表示制御部１０９とが更に備えられている。ＶＲＡＭ１０７は、表示部１１０に表示する画像等を記憶するものである。画像処理部１０８は、所定の画像処理を行うものである。画像処理部１０８は、例えば、被写体像に歪曲を生じさせるレンズであるアナモルフィックレンズを用いて取得された画像データに対して歪曲を解消するための復元処理であるデスクイーズ処理を行い得る。表示制御部１０９は、表示部１１０の表示を制御するものである。表示制御部１０９には、表示部１１０が接続されている。表示部１１０としては、例えば、液晶ディスプレイ等が挙げられる。画像処理装置１００には、内部バス１１６が更に備えられている。内部バス１１６は、画像処理装置１００内に設けられた各構成要素間において制御信号やデータ信号等を伝送するためのものである。
【００１２】
次に、本実施形態による画像処理装置１００の動作の概要について図２を用いて説明する。図２は、本実施形態による画像処理装置１００の表示画面の例を示す図である。図２（ａ）は、アプリケーション画面２００を示している。アプリケーション画面２００は、所定のアプリケーションプログラムが起動された際に表示部１１０に表示される。アプリケーション画面２００には、画像処理装置１００に格納されている動画像データの一覧を表示する一覧表示エリア２１０が配される。一覧表示エリア２１０には、動画像データが格納されているフォルダ２１１がツリー構造で示される。フォルダ２１１は、撮影に用いられたカメラ（撮像装置）毎に作成されてもよいし、撮影時の設定毎に作成されてもよい。
【００１３】
ここでは、図示しない第１のカメラ（カメラＡ）と第２のカメラ（カメラＢ）によってそれぞれ撮影された動画像データが、第１のフォルダＣＡＭＥＲＡ＿Ａと第２のフォルダＣＡＭＥＲＡ＿Ｂとにそれぞれ格納されている場合を例に説明する。第１のフォルダＣＡＭＥＲＡ＿Ａには、４つの動画像データＡＡＡＡ、ＢＢＢＢ、ＣＣＣＣ、ＤＤＤＤが格納されている。第２のフォルダＣＡＭＥＲＡ＿Ｂには、３つの動画像データＥＥＥＥ、ＦＦＦＦ、ＧＧＧＧが格納されている。第１のカメラ（カメラＡ）は、アナモルフィックレンズの属性情報、より具体的には、アナモルフィックレンズの倍率比を示す情報である倍率比情報を動画像データのメタデータ領域に記録可能なカメラ、即ち、アナモルフィックレンズ対応カメラである。アナモルフィックレンズは、被写体像に歪曲を生じさせるレンズである。例えば、倍率比が２：１であるアナモルフィックレンズは、縦のサイズに対して横のサイズが２分の１になるように被写体像を圧縮する。かかる倍率比情報は、アナモルフィックレンズとカメラとが通信することによってカメラに取得されてもよいし、カメラ側の設定画面を介してユーザが倍率比情報（倍率情報）を設定してもよい。第２のカメラ（カメラＢ）は、アナモルフィックレンズの属性情報、具体的には、倍率比情報を動画像データに付加できないカメラ、即ち、アナモルフィックレンズ非対応カメラである。動画像データＡＡＡＡ、ＢＢＢＢは、倍率比が２：１、即ち、圧縮倍率が２倍であるアナモルフィックレンズを第１のカメラ（カメラＡ）に装着した状態で取得された動画像データであるものとする。また、動画像データＣＣＣＣ、ＤＤＤＤは、アナモルフィックレンズではない一般的なレンズを第１のカメラ（カメラＡ）に装着した状態で取得された動画像データであるものとする。動画像データＥＥＥＥ、ＦＦＦＦ、ＧＧＧＧは、倍率比が２：１であるアナモルフィックレンズを第２のカメラ（カメラＢ）に装着した状態で記録された動画像データであるものとする。
【００１４】
ユーザは、画像処理の対象となる動画像データを一覧表示エリア２１０において選択することができる。画像処理の対象となる動画像データの選択は、例えば入力デバイス１１２をユーザが操作することによって行われる。ここでは、動画像データＡＡＡＡ、ＣＣＣＣ、ＥＥＥＥがユーザによって選択される場合を例に説明する。アプリケーション画面２００には、ユーザによって選択された動画像データを再生表示するプレビューエリア２２０が更に配される。ここでは、動画像データＡＡＡＡに含まれる複数のフレームのうちの１つのフレームがプレビューエリア２２０に表示されているものとする。動画像データＡＡＡＡは、画面が横方向に１／２に圧縮されて記録されているが、表示の際に、画面を横方向に伸張するデスクイーズ処理を行うことによって、正しい画角でフレームを表示することが可能である。かかるデスクイーズ処理は、例えば、画像データのメタデータ領域に記録された倍率比情報に基づいて行うことができる。なお、デスクイーズ処理は、後述する設定ダイアログ画面２６０において設定されるデスクイーズ倍率に基づいて行うことも可能である。アプリケーション画面２００には、プレビューエリア２２０に表示される動画像の再生制御を行うための再生コントロール部２３０が更に配される。また、アプリケーション画面２００には、設定ダイアログ画面２６０（図２（ｂ）参照）を開くための設定ボタン２４０が更に配される。また、アプリケーション画面２００には、選択された動画像データに対して所定の画像処理、即ち、デスクイーズ処理を実行するためのエクスポートボタン２５０が更に配される。
【００１５】
図２（ｂ）は、設定ダイアログ画面２６０を示している。設定ダイアログ画面２６０は、図２（ａ）に示す設定ボタン２４０が押下された際に表示部１１０に表示される。設定ダイアログ画面２６０においては、デスクイーズ処理の設定が可能である。設定ダイアログ画面２６０には、デスクイーズ処理における伸張倍率、即ち、デスクイーズ倍率を指定するためのリストボックス２６１が配される。リストボックス２６１においては、「ＯＦＦ」、「×１．３」、「×２．０」のうちのいずれかを選択することが可能である。リストボックス２６１が「ＯＦＦ」に設定された場合には、選択された動画像データに対し、デスクイーズ処理を実行しない。リストボックス２６１が「×１．３」に設定された場合には、画面を横方向に１．３倍に伸張するデスクイーズ処理が実行される。リストボックス２６１が「×２．０」に設定された場合には、画面を横方向に２．０倍に伸張するデスクイーズ処理が実行される。設定ダイアログ画面２６０には、動画像データのメタデータ領域に記録された倍率比情報を優先的に使用してデスクイーズ処理を実行するか否かを設定するためのチェックボックス２６２が配される。設定ダイアログ画面２６０に表示される項目は、これらの項目に限定されるものではない。例えば、画像処理後の動画像データの保存先、画像処理後の動画像データの解像度、画像処理後の動画像データの圧縮形式等を設定ダイアログ画面２６０において適宜設定可能であるが、ここでは図示を省略する。ＣＰＵ１０１は、アナモルフィックレンズを用いて取得された画像データに対してデスクイーズ処理を行う際に用いられる情報、即ち、デスクイーズ倍率を、設定ダイアログ画面２６０を介して行われる設定に基づいて設定する設定手段として機能し得る。また、ＣＰＵ１０１は、画像データのメタデータ領域に記録された倍率比情報を、リストボックス２６１において設定されたデスクイーズ倍率よりも優先的に用いてデスクイーズ処理を行うか否かを設定する設定手段として機能し得る。なお、画像データのメタデータ領域に記録された倍率比情報を優先的に用いてデスクイーズ処理を行うか否かは、上述したように、設定ダイアログ画面２６０を介して行われる設定に基づいて設定される。ＣＰＵ１０１は、画像データのメタデータ領域に記録された倍率比情報を優先的に用いることが設定されていない場合に、リストボックス２６１において設定されたデスクイーズ倍率を用いてデスクイーズ処理を行う処理手段として機能し得る。また、ＣＰＵ１０１は、画像データのメタデータ領域に記録された倍率比情報を優先的に用いることが設定されている場合に、画像データのメタデータ領域に記録された倍率比情報を用いてデスクイーズ処理を行う処理手段として機能し得る。なお、ＣＰＵ１０１と画像処理部１０８とが相俟って、かかる処理手段として機能する。
【００１６】
次に、本実施形態による画像処理装置１００の動作について図３を用いて説明する。図３は、本実施形態による画像処理装置１００の動作を示すフローチャートである。なお、ここでは、図２（ａ）を用いて上述したように、動画像データＡＡＡＡ、ＣＣＣＣ、ＥＥＥＥが画像処理の対象として選択されているものとする。
【００１７】
ステップＳ３０１では、画像処理装置１００は、ユーザによってエクスポートボタン２５０が押下されたか否かを判定する。エクスポートボタン２５０がユーザによって押下された場合には（ステップＳ３０１においてＹＥＳ）ステップＳ３０２に移行する。一方、エクスポートボタン２５０がユーザによって押下されていない場合には（ステップＳ３０１においてＮＯ）、ステップＳ３０１が繰り返される。
【００１８】
ステップＳ３０２では、画像処理装置１００は、選択中の全ての動画像データのうちの未処理の動画像データ、即ち、ステップＳ３０８のファイル出力の処理が未だ行われていない動画像データを１つ選択する。
【００１９】
ステップＳ３０３では、画像処理装置１００は、ステップＳ３０２において選択した動画像データのメタデータ領域に、アナモルフィックレンズの倍率比情報が記録されているか否かを判定する。動画像データのメタデータ領域にアナモルフィックレンズの倍率比情報が記録されている場合には（ステップＳ３０３においてＹＥＳ）、ステップＳ３０４に移行する。一方、動画像データのメタデータ領域にアナモルフィックレンズの倍率比情報が記録されていない場合には（ステップＳ３０３においてＮＯ）、ステップＳ３０７に移行する。
【００２０】
ステップＳ３０４では、画像処理装置１００は、設定ダイアログ画面２６０のチェックボックス２６２にチェックマークが付されているか否かを判定する。即ち、動画像データのメタデータ領域に記録された倍率比情報を優先的に用いて復元処理を行うことが設定ダイアログ画面２６０において設定されたか否かを判定する。チェックボックス２６２にチェックマークが付されている場合には（ステップＳ３０４においてＹＥＳ）、ステップＳ３０５に移行する。一方、チェックボックス２６２にチェックマークが付されていない場合には（ステップＳ３０４においてＮＯ）、ステップＳ３０６に移行する。
【００２１】
ステップＳ３０５では、画像処理装置１００は、動画像データのメタデータ領域に記録された倍率比情報に基づいて、当該動画像データに含まれる複数のフレームの各々に対してデスクイーズ処理を実行する。例えば、ステップＳ３０２において動画像データＡＡＡＡが選択された場合には、動画像データＡＡＡＡに含まれる複数のフレームの各々に対してデスクイーズ処理を行う。
【００２２】
ステップＳ３０６では、画像処理装置１００は、リストボックス２６１において設定されたデスクイーズ倍率に基づいて、動画像データに含まれる複数のフレームの各々に対してデスクイーズ処理を実行する。
【００２３】
ステップＳ３０７では、画像処理装置１００は、ステップＳ３０６と同様に、リストボックス２６１において設定されたデスクイーズ倍率に基づいて、動画像データに含まれる複数のフレームの各々に対してデスクイーズ処理を実行する。
【００２４】
ステップＳ３０８では、画像処理装置１００は、ステップＳ３０６〜Ｓ３０８のいずれかによってデスクイーズ処理が既に実行された各フレームのＲＧＢデータに対して、所定の画像処理を行うことにより、動画データを生成する。かかる画像処理は、予め設定された解像度や圧縮形式等に基づいて行われる。かかる解像度や圧縮形式等は、上述したように、例えば、設定ダイアログ画面２６０において予め設定される。画像処理装置１００は、生成した動画像データのファイルを、予め設定された保存先に保存する。こうして、動画像データのファイルの出力の処理が画像処理装置１００によって行われる。
【００２５】
ステップＳ３０９では、画像処理装置１００は、選択中の全ての動画像データのうちの未処理の動画像データの数が０か否かを判定する。未処理の動画像データの数が０である場合には（ステップＳ３０９においてＹＥＳ）、図３に示す動作を終了する。一方、未処理の動画像データの数が０ではない場合には（ステップＳ３０９においてＮＯ）、ステップＳ３０２に戻る。
【００２６】
動画像データＡＡＡＡ、ＣＣＣＣ、ＥＥＥＥが選択されている場合には、設定ダイアログ画面２６０のリストボックス２６１において「×２．０」と設定し、チェックボックス２６２にチェックマークを付した状態でエクスポートを実行する。このように設定した状態でエクスポートを実行すると、本実施形態による画像処理装置は、以下のような処理を行う。動画像データＡＡＡＡは、上述したように、倍率比が２：１のアナモルフィックレンズを第１のカメラに装着した状態で取得された動画像データである。第１のカメラは、動画像データのメタデータ領域に倍率比情報を記録するカメラである。動画像データのメタデータ領域に記録された倍率比情報は、アナモルフィックレンズの倍率比が２：１であることを示している。上述したように、動画像データに記録された倍率比情報を優先的に使用することがチェックボックス２６２において設定されている。従って、動画像データＡＡＡＡに対しては、動画像データのメタデータ領域に記録された倍率比情報に基づいて、２倍のデスクイーズ処理が行われる。動画像データＣＣＣＣは、上述したように、アナモルフィックレンズではない一般的なレンズを第１のカメラに装着した状態で取得された動画像データである。第１のカメラは、上述したように、画像データのメタデータ領域に倍率比情報を記録するカメラである。レンズが一般的なレンズであるため、画像データのメタデータ領域には、レンズの倍率比が１：１であることが記録されている。上述したように、動画像データに記録された倍率比情報を優先的に使用することがチェックボックス２６２において設定されている。従って、動画像データＣＣＣＣに対しては、デスクイーズ処理が行われない。動画像データＥＥＥＥは、上述したように、倍率比が２：１のアナモルフィックレンズを第２のカメラに装着した状態で取得された画像データである。第２のカメラは、動画像データのメタデータ領域に倍率比情報を記録し得ないカメラである。従って、設定ダイアログ画面２６０のリストボックス２６１において設定されたデスクイーズ倍率に基づいて、デスクイーズ処理が行われる。設定ダイアログ画面２６０のリストボックス２６１において設定されたデスクイーズ倍率は、上述したように「×２．０」である。従って、動画像データＥＥＥＥに対しては、設定ダイアログ画面２６０のリストボックス２６１において設定されたデスクイーズ倍率に基づいて、２倍のデスクイーズ処理が行われる。このように、本実施形態によれば、画像処理が適確に行われ、適切な画角の動画像データのファイルをエクスポートすることができる。
【００２７】
このように、本実施形態では、画像データのメタデータ領域に倍率比情報が記録されている画像データと、画像データのメタデータ領域に倍率比情報が記録されていない画像データとが混在している場合であっても、デスクイーズ処理を適確行うことができる。しかも、本実施形態によれば、デスクイーズ倍率の設定を動画像データ毎にユーザが行うことを要せず、画像処理の作業におけるユーザの手間を省くことができる。
【００２８】
（変形例（その１））
次に、本実施形態の変形例（その１）による画像処理装置について図４を用いて説明する。図４は、本実施形態による画像処理装置の動作を示すフローチャートである。
【００２９】
本変形例は、チェックボックス２６２にチェックマークが付されていない状態において、動画像データのメタデータ領域から取得した倍率比情報と、リストボックス２６１において設定された倍率とが一致しない場合に、警告を発するものである。
【００３０】
本変形例においても、ステップＳ３０４では、画像処理装置１００が、チェックボックス２６２にチェックマークが付されているか否かを判定する。チェックボックス２６２にチェックマークが付されている場合には（ステップＳ３０４においてＹＥＳ）、ステップＳ３０５に移行する。一方、チェックボックス２６２にチェックマークが付されていない場合には（ステップＳ３０４においてＮＯ）、ステップＳ４０１に移行する。
【００３１】
ステップＳ４０１では、画像処理装置１００が、動画像データのメタデータ領域から取得した倍率比情報と、リストボックス２６１において設定されたデスクイーズ倍率とが一致するか否かを判定する。両者が一致する場合には（ステップＳ４０１においてＹＥＳ）、ステップＳ３０６に移行する。一方、両者が一致しない場合には（ステップＳ４０１においてＮＯ）、ステップＳ４０２に移行する。
【００３２】
ステップＳ４０２では、画像処理装置１００は、デスクイーズ処理を行うと不適当な画角になる旨の警告を発する。具体的には、かかる警告を示す画面（図示せず）を表示部１１０に表示する。かかる警告を示す画面には、当該動画像データに対するデスクイーズ処理をキャンセルするか否かをユーザが選択するためのキャンセルボタン（図示せず）及び実行ボタン（図示せず）が表示される。キャンセルボタンは、デスクイーズ処理をキャンセルためのボタンであり、実行ボタンは、リストボックス２６１において設定された倍率でのデスクイーズ処理を実行するためのボタンである。ユーザがキャンセルボタンを押下した場合には（ステップＳ４０３においてＹＥＳ）、即ち、当該画像データに対するデスクイーズ処理をキャンセルすることをユーザが選択した場合には、ステップＳ３０９に移行する。一方、ユーザが実行ボタンを押下した場合には（ステップＳ４０３においてＮＯ）、即ち、リストボックス２６１において設定された倍率でのデスクイーズ処理を実行することをユーザが選択した場合には、ステップＳ３０６に移行する。
【００３３】
本変形例によれば、動画像データのメタデータ領域に記録された倍率比情報と、リストボックス２６１において設定されたデスクイーズ倍率とが一致しない場合には、警告を発する。このため、本変形例によれば、ユーザが意図していない不適切な画角のファイルがエクスポートされるのを防止することができる。
【００３４】
（変形例（その２））
次に、本実施形態の変形例（その２）による画像処理装置について図５を用いて説明する。図５は、本変形例による画像処理装置の動作を示すフローチャートである。
【００３５】
本変形例では、チェックボックス２６２にチェックマークが付されていない状態において、動画像データのメタデータ領域から取得した倍率比情報と、リストボックス２６１において設定された倍率とが一致しない場合に、以下のように動作する。即ち、本変形例による画像処理装置１００は、かかる場合には、動画像データのメタデータから取得した倍率比情報に基づいてデスクイーズ処理を実行するか否かをユーザに問い合わせる。
【００３６】
本変形例においても、ステップＳ４０２では、画像処理装置１００は、デスクイーズ処理を行うと不適当な画角になる旨の警告を発する。かかる警告を示す画面には、上述したように、当該動画像データに対するデスクイーズ処理をキャンセルするか否かをユーザが選択するためのキャンセルボタン（図示せず）及び実行ボタン（図示せず）が表示される。ユーザがキャンセルボタンを押下した場合には（ステップＳ４０３においてＹＥＳ）、即ち、当該画像データに対するデスクイーズ処理をキャンセルすることをユーザが選択した場合には、ステップＳ３０９に移行する。一方、ユーザが実行ボタンを押下した場合には（ステップＳ４０３においてＮＯ）、ステップＳ５０１に移行する。
【００３７】
ステップＳ５０１では、画像処理装置１００は、動画像データのメタデータ領域に記録された倍率比情報に基づいて動画像データのデスクイーズ処理を実行するか否かをユーザに問い合わせる。具体的には、問い合わせを示す画面（図示せず）を表示部１１０に表示する。かかる問い合わせを示す画面には、動画像データのメタデータ領域に記録された倍率比情報に基づいて動画像データのデスクイーズ処理を実行するかをユーザが選択するためのＹＥＳボタン（図示せず）及びＮＯボタン（図示せず）が表示される。ユーザがＹＥＳボタンを押下した場合には（ステップＳ５０２においてＹＥＳ）、即ち、動画像データのメタデータ領域に記録された倍率比情報に基づいてデスクイーズ処理を実行することをユーザが選択した場合には、ステップＳ３０５に移行する。一方、ユーザがＮＯボタンを押下した場合には（ステップＳ５０２においてＮＯ）、ステップＳ３０６に移行する。
【００３８】
このように、動画像データのメタデータ領域に記録された倍率比情報に基づいてデスクイーズ処理を行うか否かを、ユーザに対して問い合わせるようにしてもよい。
【００３９】
（変形例（その３））
次に、本実施形態の変形例（その３）による画像処理装置について説明する。図６は、本変形例による画像処理装置の動作を示すフローチャートである。
【００４０】
本変形例では、チェックボックス２６２にチェックマークが付されておらず、動画像データのメタデータ領域に記録された倍率比情報が「×１．０」以外であり、かつ、リストボックス２６１における設定が「ＯＦＦ」である場合に、以下のように動作する。即ち、本変形例による画像処理装置１００は、かかる場合には、動画像データのメタデータ領域から取得した倍率比情報をユーザに通知する。
【００４１】
上述したアプリケーションプログラムによってデスクイーズ処理を行わず、別のアプリケーションプログラムによってデスクイーズ処理を行うことも考えられる。しかも、メタデータ領域に倍率比情報が書き込まれないようなファイル形式への変換がステップＳ３０８において行われることもあり得る。このような場合には、別のアプリケーションプログラムによってデスクイーズ処理を行う際に適確にデスクイーズ処理を行い得るように、動画像データのメタデータ領域に記録された倍率比情報をユーザに通知することが好ましい。そこで、本変形例による画像処理装置１００は、以下のように動作する。
【００４２】
本変形例においても、ステップＳ３０４では、画像処理装置１００が、チェックボックス２６２にチェックマークが付されているか否かを判定する。チェックボックス２６２にチェックマークが付されている場合には（ステップＳ３０４においてＹＥＳ）、ステップＳ３０５に移行する。一方、チェックボックス２６２にチェックマークが付されていない場合には（ステップＳ３０４においてＮＯ）、ステップＳ６０１に移行する。
【００４３】
ステップＳ６０１では、画像処理装置１００は、動画像データのメタデータ領域から取得した倍率比情報が「×１．０」以外であるか否かを判定する。即ち、アナモルフィックレンズを装着した状態で取得された動画像データであるか否かを判定する。動画像データのメタデータ領域から取得した倍率比情報が「×１．０」以外である場合（ステップＳ６０１においてＹＥＳ）、即ち、当該動画像データがアナモルフィックレンズを装着した状態で取得されたものである場合には、ステップＳ６０２に移行する。一方、動画像データのメタデータ領域から取得した倍率比情報が「×１．０」である場合（ステップＳ６０１においてＮＯ）、即ち、当該像画像データが一般的なレンズを装着した状態で取得されたものである場合には、ステップＳ３０８に移行する。
【００４４】
ステップＳ６０２では、画像処理装置１００は、リストボックス２６１において設定された倍率が「ＯＦＦ」であるか否か、即ち、デスクイーズ処理を行わないことがリストボックス２６１において設定されているか否かを判定する。リストボックス２６１において設定された倍率が「ＯＦＦ」である場合（ステップＳ６０２においてＹＥＳ）、即ち、デスクイーズを行わない旨の設定である場合には、ステップＳ６０３に移行する。ステップＳ６０３では、動画像データのメタデータ領域に記録されていた倍率比情報を表示部１１０に表示する。この後、ステップＳ３０８に移行する。一方、リストボックス２６１において設定された倍率が「ＯＦＦ」ではない場合（ステップＳ６０２においてＮＯ）、即ち、デスクイーズ処理を行う旨の設定である場合には、ステップＳ３０６に移行する。
【００４５】
このように、本変形例では、チェックボックス２６２にチェックマークが付されておらず、メタデータ領域に記録された倍率比情報が「×１．０」以外であり、かつ、リストボックス２６１の設定が「ＯＦＦ」である場合に、以下のように動作する。即ち、本変形例では、かかる場合には、動画像データのメタデータ領域から取得した倍率比情報をユーザに通知する。このため、本変形例によれば、デスクイーズ処理において指定すべき倍率をユーザが知ることができる。このため、本変形例によれば、別のアプリケーションプログラムによってデスクイーズ処理を行う場合であっても、適切にデスクイーズ処理を実行することができる。
【００４６】
［変形実施形態］
以上、本発明の好ましい実施形態について説明したが、本発明はこれらの実施形態に限定されず、その要旨の範囲内で種々の変形及び変更が可能である。
【００４７】
例えば、上記実施形態では、画像処理の対象が動画像データである場合を例に説明したが、画像処理の対象は動画像データに限定されるものではない。例えば、画像処理の対象が静止画像データであってもよい。
【００４８】
また、上記実施形態では、アナモルフィックレンズを用いて取得された画像データに対して画像処理を行う場合を例に説明したが、これに限定されるものではない。本発明は、被写体像に歪を生じさせるレンズを用いて取得された画像データに対して復元処理を行う場合に広く適用することができる。
【００４９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５０】
１００…画像処理装置
１０１…ＣＰＵ
１０２…ＲＯＭ
１０３…ＲＡＭ
１０４…ＨＤＤ
１０５…外部ＩＦ
１０６…ユーザＩＦ
１０７…ＶＲＡＭ
１０８…画像処理部
１０９…表示制御部
１１０…表示部
１１１…記憶媒体
１１２…入力デバイス
１１３…マウス
１１４…キーボード
１１６…内部バス
１５０…フラッシュメモリカード
１６０…外付けハードディスク
【図１】
2018006985.tif 000003
【図２】
2018006985.tif 000004
【図３】
2018006985.tif 000005
【図４】
2018006985.tif 000006
【図５】
2018006985.tif 000007
【図６】
2018006985.tif 000008